(57)【要約】【課題】検針員にとっては検針現場で印刷した帳票等の印刷物を折り曲げ、その一部の情報を隠ぺいすることができ、需要家にとってはその印刷物を読み取る際に容易に剥がせる。【解決手段】略長方形状の板材に、複数の突起を設けた第一部材と、第一部材の各突起に係合する凹部を、略長方形状の板材に複数配置した第二部材と、突起が凹部に向けて移動するように、第一部材を支持するレールを具備した器具本体とを備え、印刷物を折り曲げて２枚に重ねた部分を、第一部材と第二部材との間に挟み、器具本体のレールで第一部材を可動し、各突起と凹部との噛合により、その２枚の紙片が重なった状態の凹み、孔を形成して仮綴じするように構成した。【選択図】図１
2010143107.tif 000002
【特許請求の範囲】
【請求項１】
ハンディターミナル（ＨＴ）とハンディプリンタ（ＨＰ）を使用し、各需要家の個人情報と共にその検針結果を現場で印刷した帳票等の印刷物（Ｐ）における一部の情報を隠ぺいするために、該印刷物（Ｐ）を折り曲げて仮綴じする帳票等の印刷物仮綴じ器具（１）であって、
略長方形状の板材に、複数の突起（２）を設けた第一部材（３）と、
前記第一部材（３）の各突起（２）に係合する凹部（４）を、略長方形状の板材に複数配置した第二部材（５）と、
前記突起（２）が前記凹部（４）に向けて移動するように、前記第一部材（３）を支持するレール（６）を具備した器具本体（７）と、を備え、
前記印刷物（Ｐ）を折り曲げて２枚に重ねた部分を、前記第一部材（３）と第二部材（５）との間に挟み、前記器具本体（７）のレール（６）で該第一部材（３）を可動し、各突起（２）と凹部（４）との噛合により、その２枚の紙片が重なった状態の凹み（ＤＥ）、孔（Ｈ）を形成して仮綴じするように構成した、ことを特徴とする帳票等の印刷物仮綴じ器具。
【請求項２】
ハンディターミナル（ＨＴ）とハンディプリンタ（ＨＰ）を使用し、各需要家の個人情報と共にその検針結果を現場で印刷した帳票等の印刷物（Ｐ）における一部の情報を隠ぺいするために、該印刷物（Ｐ）を折り曲げて仮綴じする帳票等の印刷物仮綴じ器具（１）であって、
略長方形状の板材に、複数の突起（２）と凹部（４）を交互に設けた第一部材（３）と、
前記第一部材（３）の各突起（２）に係合する凹部（４）と、前記第一部材（３）の各凹部（４）に係合する突起（２）を、それぞれ交互に板材に複数配置した第二部材（５）と、
各突起（２）と凹部（４）とがそれぞれ対向移動するように、前記第一部材（３）を支持するレール（６）を具備した器具本体（７）と、を備え、
前記印刷物（Ｐ）を折り曲げて２枚に重ねた部分を、前記第一部材（３）と第二部材（５）との間に挟み、前記器具本体（７）のレール（６）で該第一部材（３）を可動し、各突起（２）と凹部（４）との噛合により、その２枚の紙片が重なった状態の凹み（ＤＥ）、孔（Ｈ）を形成して仮綴じするように構成した、ことを特徴とする帳票等の印刷物仮綴じ器具。
【請求項３】
前記突起（２）は切頭円錐形状に成り、前記凹部（４）も切頭円錐形状に形成した、ことを特徴とする請求項１又は２の帳票等の印刷物仮綴じ器具。
【請求項４】
前記突起（２）は切頭角錐形状に成り、前記凹部（４）も切頭角錐形状に形成した、ことを特徴とする請求項１又は２の帳票等の印刷物仮綴じ器具。
【請求項５】
前記第一部材（３）の突起（２）側に、前記印刷物（Ｐ）の端縁（ＰＥ）を押さえる位置決め用鉤部（２１）を形成した、ことを特徴とする請求項１又は２の帳票等の印刷物仮綴じ器具。
【請求項６】
前記第一部材（３）に、その長手方向にカッタ（３１）を取り付け、該第一部材（３）と前記第二部材（５）とを噛合させ、前記印刷物（Ｐ）に凹み（ＤＥ）、孔（Ｈ）を形成すると同時に、該印刷物（Ｐ）を切断するように構成した、ことを特徴とする請求項１又は２の帳票等の印刷物仮綴じ器具。
【請求項７】
前記ハンディプリンタ（ＨＰ）の排紙口（３２）を挟むように、カッタ（３１）を取り付けた前記第一部材（３）を配置し、該排紙口（３２）から印刷物（Ｐ）を前記第一部材（３）と第二部材（５）の間に排紙させると共に、該第一部材（３）と第二部材（５）とを噛合させ、前記印刷物（Ｐ）に凹み（ＤＥ）、孔（Ｈ）を形成すると同時に、該印刷物（Ｐ）を切断するように構成した、ことを特徴とする請求項６の帳票等の印刷物仮綴じ器具。
【請求項８】
前記器具本体（７）に、該器具本体（７）を前記ハンディターミナル（ＨＴ）又はハンディプリンタ（ＨＰ）に着脱自在に取り付ける枠材（１０）を設けた、ことを特徴とする請求項１，２又は３の帳票等の印刷物仮綴じ器具。
【請求項９】
前記枠材（１０）は、前記器具本体（７）の第一部材（３）と第二部材（５）の反対側に、横断面が略コ字形状を有すると共に、該器具本体（７）に引っ張る引張部材（１１）を設けた、ことを特徴とする請求項８の帳票等の印刷物仮綴じ器具。
【発明の詳細な説明】
【技術分野】
【０００１】
本発明は、ハンディターミナルとプリンタを使用して電力使用量の検針結果等を印刷した帳票「電気ご使用量のお知らせ」について、その帳票の印刷面の一部を隠ぺいする帳票等の印刷物仮綴じ器具に関する。
【背景技術】
【０００２】
各需要家の電力使用量について、図１４に示すように、毎月検針員がメータを見てその検針結果を現場でハンディターミナルＨＴに入力し、ハンディプリンタＨＰで印刷している。このプリンタＨＰで印刷した「電気ご使用量のおしらせ」を、ポスト等に投函して各需要家へ通知している。この検針員による通知は、検針作業と同時に各需要家への「使用量のおしらせ」等の帳票発行ができるという利便性がある。
【０００３】
多数の需要家が隣接しているマンション、社宅、アパートのような集合住宅では、この帳票を誤って他の需要家のポスト等に投函するという事故がごく稀に発生することがある。この「電気ご使用量のおしらせ」の帳票５１の印刷面には、図１５に示すように、需要家の氏名、名称等の情報５２、電気使用量・請求予定額・前月の領収金額・契約番号・契約種別等の情報５３が記載されている。これらの各種情報は隠ぺいされていないため、誤って他の需要家へ投函された場合、そこに記載されている情報５２，５３を他人に見られるおそれがあった。
【０００４】
このように検針結果等の帳票の機密を保護する技術が種々提案されている。例えば、特許文献１の特開２００８−１５５５５２号公報「情報保護機能を持ったサーマルプリンタ用紙」に示すように、ハンディターミナルのサーマルプリンタ等を使用して、検針結果等の機密保護を要する情報のプリントを現場で行うためのサーマルプリンタ用紙の上層の全面に厚み２０〜５０μの隠ぺい性を持った情報保護紙を、サーマルプリンタ印字による走行に支障がない貼り合せ層強度で貼り合わせ、感熱紙と情報保護紙の貼り合せ層の間で剥すことが可能で、プリントパターンの一枚ごとの境目にミシン目が入れられた構成を持ったサーマルプリンタ用紙が提案されている。
【特許文献１】特開２００８−１５５５５２号公報
【発明の開示】
【発明が解決しようとする課題】
【０００５】
しかし、特許文献１の「情報保護機能を持ったサーマルプリンタ用紙」では、サーマルプリンタ用紙の上層の全面に、隠ぺい性を持った情報保護紙を貼り合わせる構成であるために、この情報保護紙が余分に必要になり、検針員が携帯する物が増えるという問題を有していた。
【０００６】
また、検針員が現場で検針した帳票をポスト等に誤って投函することは稀であった。そこで、大がかりな装置、費用はかけらず、検針員が検針現場へ容易に携帯できるものの提案が望まれていた。
【０００７】
本発明は、かかる問題点を解決するために創案されたものである。すなわち、本発明の目的は、ハンディターミナル、ハンディプリンタと共に携帯できる簡単な構造にすることで、検針員にとっては検針現場で印刷した帳票等の印刷物を折り曲げ、その一部の情報を隠ぺいすることができ、需要家にとってはその印刷物を読み取る際に容易に剥がせることができる帳票等の印刷物仮綴じ器具を提供することにある。
【課題を解決するための手段】
【０００８】
本発明によれば、ハンディターミナル（ＨＴ）とハンディプリンタ（ＨＰ）を使用し、各需要家の個人情報と共にその検針結果を現場で印刷した帳票等の印刷物（Ｐ）における一部の情報を隠ぺいするために、該印刷物（Ｐ）を折り曲げて仮綴じする帳票等の印刷物仮綴じ器具（１）であって、略長方形状の板材に、複数の突起（２）を設けた第一部材（３）と、前記第一部材（３）の各突起（２）に係合する凹部（４）を、略長方形状の板材に複数配置した第二部材（５）と、前記突起（２）が前記凹部（４）に向けて移動するように、前記第一部材（３）を支持するレール（６）を具備した器具本体（７）と、を備え、前記印刷物（Ｐ）を折り曲げて２枚に重ねた部分を、前記第一部材（３）と第二部材（５）との間に挟み、前記器具本体（７）のレール（６）で該第一部材（３）を可動し、各突起（２）と凹部（４）との噛合により、その２枚の紙片が重なった状態の凹み（ＤＥ）、孔（Ｈ）を形成して仮綴じするように構成した、ことを特徴とする帳票等の印刷物仮綴じ器具が提供される。
【０００９】
または、略長方形状の板材に、複数の突起（２）と凹部（４）を交互に設けた第一部材（３）と、前記第一部材（３）の各突起（２）に係合する凹部（４）と、前記第一部材（３）の各凹部（４）に係合する突起（２）を、それぞれ交互に板材に複数配置した第二部材（５）と、各突起（２）と凹部（４）とがそれぞれ対向移動するように、前記第一部材（３）を支持するレール（６）を具備した器具本体（７）と、を備え、前記印刷物（Ｐ）を折り曲げて２枚に重ねた部分を、前記第一部材（３）と第二部材（５）との間に挟み、前記器具本体（７）のレール（６）で該第一部材（３）を可動し、各突起（２）と凹部（４）との噛合により、その２枚の紙片が重なった状態の凹み（ＤＥ）、孔（Ｈ）を形成して仮綴じするように構成することができる。
例えば、前記突起（２）は切頭円錐形状又は切頭角錐形状に成り、前記凹部（４）も切頭円錐形状又は切頭角錐形状に形成することができる。
【００１０】
前記第一部材（３）の突起（２）側に、前記印刷物（Ｐ）の端縁（ＰＥ）を押さえる位置決め用鉤部（２１）を形成することが好ましい。
前記第一部材（３）に、その長手方向にカッタ（３１）を取り付け、該第一部材（３）と前記第二部材（５）とを噛合させ、前記印刷物（Ｐ）に凹み（ＤＥ）、孔（Ｈ）を形成すると同時に、該印刷物（Ｐ）を切断するように構成することができる。
例えば、前記ハンディプリンタ（ＨＰ）の排紙口（３２）を挟むように、カッタ（３１）を取り付けた前記第一部材（３）を配置し、該排紙口（３２）から印刷物（Ｐ）を前記第一部材（３）と第二部材（５）の間に排紙させると共に、該第一部材（３）と第二部材（５）とを噛合させ、前記印刷物（Ｐ）に凹み（ＤＥ）、孔（Ｈ）を形成すると同時に、該印刷物（Ｐ）を切断するように構成することができる。
【００１１】
前記器具本体（７）に、該器具本体（７）を前記ハンディターミナル（ＨＴ）又はハンディプリンタ（ＨＰ）に着脱自在に取り付ける枠材（１０）を設けることが好ましい。
例えば、前記枠材（１０）は、前記器具本体（７）の第一部材（３）と第二部材（５）の反対側に、横断面が略コ字形状を有すると共に、該器具本体（７）に引っ張る引張部材（１１）を設けることができる。
【発明の効果】
【００１２】
上記構成の発明では、ハンディターミナル（ＨＴ）とハンディプリンタ（ＨＰ）を使用して電力使用量の検針結果等に関する帳票「お知らせ」等の印刷物（Ｐ）を印刷し、この印刷物（Ｐ）を２枚に折り曲げ、この２枚に重ねた部分を、第一部材（３）と第二部材（５）との間に挟む。次に、第一部材（３）と第二部材（５）を指で強く挟むことにより、第一部材（３）と第二部材（５）の突起（２）と凹部（４）とを噛合させる。このとき、２枚の紙片は重なった状態の凹み（ＤＥ）又は孔（Ｈ）が複数形成され、仮綴じされた状態になる。この状態の印刷物（Ｐ）は、需要家の氏名、名称等の情報（５２）については読み取ることができるが、電気使用量・請求予定額・前月の領収金額・契約番号・契約種別等の情報（５３）は隠ぺいされる。そこで、誤って他の需要家へ投函されても、そこに記載されている情報（５３）は他人に見られることを防止することができる。本人がこの印刷物（Ｐ）を読むときは、印刷物（Ｐ）の一部を摘み、剥がせばよい。このときは、仮綴じされているだけであるので、容易に剥がすことができ、そこに印刷されている電気使用量・請求予定額等の情報（５３）を読み取ることができる。
【００１３】
位置決め用鉤部（２１）を形成したものでは、印刷物（Ｐ）を折り曲げて２枚に重ねる際に、印刷物（Ｐ）における需要家の氏名、名称等の情報（５２）が露出し、かつ剥がしやすい余白部分（５４）を残した状態に印刷物（Ｐ）を折り曲げ、適切な位置に仮綴じすることができる。
カッタ（３１）を取り付けたものでは、印刷物（Ｐ）を仮綴じすると同時に、印刷物（Ｐ）を切断することができ、検針員の作業が容易になる。しかも、仮綴じする前にあっては、ハンディプリンタ（ＨＰ）に印刷物（Ｐ）が繋がれた状態にあり、印刷物（Ｐ）の取り扱いが容易で、これを二つ折りに曲げやすく、仮綴じ作業がより簡易になる。
【００１４】
ハンディターミナル（ＨＴ）又はハンディプリンタ（ＨＰ）に枠材（１０）を設けたものでは、本発明の印刷物仮綴じ器具（１）と一体化することができ、容易に携帯することができる。
【発明を実施するための最良の形態】
【００１５】
本発明の帳票等の印刷物仮綴じ器具は、ハンディターミナルとハンディプリンタを使用し、各需要家の個人情報と共にその検針結果を現場で印刷した帳票等の印刷物における一部の情報を隠ぺいするために、印刷物を折り曲げて仮綴じする器具である。
【実施例１】
【００１６】
以下、本発明の好ましい実施の形態を図面を参照して説明する。
図１は実施例１の帳票等の印刷物仮綴じ器具を示す側面図である。図２は実施例１の印刷物仮綴じ器具を示す正面図である。図３は実施例１の印刷物仮綴じ器具を示す平面図である。
実施例１の帳票等の印刷物仮綴じ器具１は、略長方形状の板材に、複数の突起２を設けた第一部材３と、この各突起２に係合する凹部４を配置した第二部材５と、各突起２を凹部４に向けて移動するように、第一部材３を支持するレール６を具備した器具本体７とを備えた器具である。ここで、第一部材３と第二部材５と称しているのは、説明の便宜上部材を区別するためである。
【００１７】
第一部材３は、略長方形状の板材に、複数の突起２を一列に配置した部材である。この突起２で折り曲げた印刷物Ｐに凹みＤＥを形成し、又は孔Ｈを開ける。隣接する突起２の間隔は、仮綴じする印刷物Ｐの厚さ、大きさに応じて決定される。例えば、隣接する突起２の間隔が狭いと、剥がしづらくなり、また破断しやすくなる。逆に、突起２の間隔が広すぎると、密着性が弱くなり、仮綴じとしての機能を果たさないことがある。突起２は一列に配置した例を示しているが、２列又はそれ以上の列で配置することは可能である。
【００１８】
第一部材３には、図３の平面図に示すように、指で押しやすいように滑り止め８を形成することが好ましい。この滑り止め８は、後述する第二部材５の表面にも形成する。滑り止め８は例えば、ローレット加工したもの又はゴミ製のシート材を張り付けたものがある。
【００１９】
第二部材５は、第一部材３の各突起２に係合する凹部４を、略長方形状の板材に複数配置した部材である。この凹部４で、突起２により印刷物Ｐに凹みＤＥ又は孔Ｈが開いた部分を強固に押えることにより、２枚の紙片が重なった状態の凹みＤＥ部分又は孔Ｈが開いた部分を強固に密着させ、仮綴じすることができる。この凹部４も、上述した突起２に合わせて、２列又はそれ以上の列で配置する。
【００２０】
器具本体７は、第一部材３と第二部材５とを支持する部材である。この器具本体７は、図１，２に示すように、第二部材５は固定支持し、第一部材３は２本のレール６で可動支持した。このレール６により、第一部材３は第二部材５に近づける。この第一部材３を可動させることにより、各突起２と凹部４とを対向させ、更に噛合させることができる。このレール６の近傍に、第一部材３と第二部材５とを常時離間するよう付勢するばね等の弾性部材９を取り付ける。この弾性部材９により、第一部材３と第二部材５とが離れた状態になり、その間に二つ折りした印刷物Ｐが挟みやすくなる。
【００２１】
器具本体７には、この器具本体７をハンディターミナルＨＴ又はハンディプリンタＨＰに取り付ける枠材１０を設けることができる。この枠材１０は、着脱自在に取り付けられる構造が好ましい。この枠材１０、図１の側面図に示すように、器具本体７の第一部材３と第二部材５の反対側に、横断面が略コ字形状を有すると共に、器具本体７側へ引っ張る引張部材１１を設けた。この引張部材１１は、ハンディプリンタＨＰの大きさに枠材１０を追従させるものである。また、枠材１０の先端側１０ａは、ハンディプリンタＨＰの形状に応じて鉤状でなく、９０度より大きく傾斜したものが好ましい。
【００２２】
図４は本発明の印刷物仮綴じ器具で仮綴じされる帳票の正面図であり、（ａ）は綴じる前の状態、（ｂ）は綴じた後の状態である。図５は印刷物を仮綴じする方法を説明する拡大側面図であり、（ａ）は綴じる前の状態、（ｂ）は綴じた後の状態である。図６は突起と凹部の位置関係を示す拡大図である。
本発明の印刷物仮綴じ器具１を用いて印刷物Ｐを仮綴じする方法を説明する。図４（ａ）に示すよう、帳票５１（印刷物Ｐ）を、電気使用量・請求予定額・前月の領収金額・契約番号・契約種別等の情報部分５３が隠ぺいされるように２枚に折り曲げる。このとき、需要家の氏名、名称の情報部分５２は読み取れるようにずらして２枚を重ね、印刷物仮綴じ器具１の第一部材３と第二部材５との間に挟む。
【００２３】
次に、図５（ａ）から（ｂ）に示すように、第一部材３を指で強く押し付けることにより、各突起２と凹部４とが噛合する。図４（ｂ）に示すように、需要家の氏名、名称の情報部分５２のみ読み取れる状態で、帳票（印刷物Ｐ）が仮綴じされる。なお、この仮綴じされた帳票５１の余白部分５４を残すように仮綴じする。この余白部分５４を摘んで、剥がし易くするためである。
【００２４】
本発明の突起２と凹部４との位置関係は、図６に示すように、突起２が凹部４内に隙間なく嵌合するような形状、大きさからなるものではない。第一部材３と第二部材５のそれぞれの端面が密着しても、凹部４に係合した突起２との間に隙間が形成されるようになっている。即ち、突起２の先端外径Ｄ１は凹部４の底部内径Ｄ２より短く、突起２の全長Ｌ１は凹部４の深さＬ２より短い。これは２枚重ねた紙片を打ち抜かないようにするためである。更に、突起２の先端と、凹部４の開口周縁部分は曲面形状に形成することが望ましい。
【００２５】
図７は綴じた後の印刷物の状態を示す拡大断面図である。図８は綴じた後の印刷物の他の状態を示す拡大断面図である。
２枚の紙片は、重なった状態の凹みＤＥが形成され、または孔Ｈが複数開けられ、仮綴じされる。図７は、印刷物Ｐに凹みＤＥが形成された状態を示し、凹みＤＥができると、２枚の紙片が密着する。このときに凹みＤＥの深さが深くなるほど紙片同士の密着性が高くなる。
【００２６】
または、図８は、印刷物Ｐに孔Ｈが開けられた状態を示し、孔Ｈが開けられると、２枚の紙片が密着する。この孔Ｈが２枚の紙片に絡み分離しづらくなり、仮綴じ効果を奏する。このとき、本発明の印刷物仮綴じ器具１は、上述したように突起２と凹部４で紙片を穿孔しないようになっている。
【００２７】
図９は突起の変形例を示す斜視図であり、（ａ）は切頭円錐形状、（ｂ）は切頭角錐形状、（ｃ）は複雑な錐形状に形成したものである。
本発明の突起２は、図９（ａ）に示すような切頭円錐形状に限定されない。重なった状態の２枚の紙片に（凹みＤＥ、又は孔Ｈが開いた部分）を形成できる構造であれば、これ以外に、例えば図９（ｂ）のように、切頭六角錐形状に形成したものでもよい。このとき凹部４も突起２に合わせて同様な形状にする。更に、図９（ｃ）のように、底面と横断面形状が星型になる複雑な錐形状に形成したものでもよい。但し、角錐形状の突起２では印刷物Ｐを破断し易くするので、隣接する突起２との間隔を、切頭円錐形状のものに比較して長くとる必要がある。
【実施例２】
【００２８】
図１０は実施例２の印刷物仮綴じ器具を示す拡大側面図であり、（ａ）は綴じる前の状態、（ｂ）は綴じた後の状態である。
実施例２の印刷物仮綴じ器具１は、第一部材３の突起２側に、印刷物Ｐの端縁ＰＥを押さえる位置決め用鉤部２１を形成した。位置決め用鉤部２１は、需要家の氏名、名称の情報部分５２に印刷物Ｐの端縁ＰＥを重ねないように、印刷物Ｐを第一部材３と第二部材５との間に容易に挟むことができる。第一部材３にはこの位置決め用鉤部２１の厚さを調整する調整部２２を形成している。これにより、突起２で印刷物Ｐを穿孔しないようになる。
【００２９】
この位置決め用鉤部２１では、印刷物Ｐにおける需要家の氏名、名称の情報部分５２を常に適正な位置に露出させ、かつ剥がしやすい余白部分５４も常に適正な位置に残した状態で折り曲げ、かつ仮綴じすることができる。
【実施例３】
【００３０】
図１１は実施例３のカッタを取り付けた印刷物仮綴じ器具を示す拡大側面図である。図１２は実施例３の印刷物仮綴じ器具を示す正面図である。
実施例３の印刷物仮綴じ器具１は、第一部材３に、その長手方向にカッタ３１を取り付け、第一部材３と前記第二部材５とを噛合させ、印刷物Ｐに凹みＤＥ又は孔Ｈを形成すると同時に、印刷物Ｐを切断するように構成した。例えば、ハンディプリンタＨＰの排紙口３２を挟むように、カッタ３１を取り付けた第一部材３を配置し、排紙口３２から器具本体７の挿通窓３３に通過させた印刷物Ｐを第一部材３と第二部材５の間に排紙させると共に、第一部材３と第二部材５とを噛合させ、印刷物Ｐに凹みＤＥ、孔Ｈを形成すると同時に、印刷物Ｐを切断する。
【００３１】
このように、カッタ３１を取り付けた印刷物仮綴じ器具１では、印刷物Ｐを仮綴じすると同時に、印刷物Ｐを切断することができ、検針員の作業が容易になる。しかも、仮綴じする前では、ハンディプリンタＨＰに印刷物Ｐが繋がれた状態にあるため、印刷物Ｐを二つ折りに曲げやすくなる。
【実施例４】
【００３２】
図１３は複数の突起と凹部を交互に一列に配置した実施例４の印刷物仮綴じ器具の部分拡大正面図である。
実施例４の印刷物仮綴じ器具１は、複数の突起２と凹部４を交互に一列に配置した。突起２又は凹部４は、例えば第一部材３に常に同じものを配置する必要はない。凹みＤＥ、孔Ｈが形成されることにより、紙片の密着性が向上するものであればよい。そこで、実施例４の印刷物仮綴じ器具１は、第一部材３の板材に、複数の突起２と凹部４を交互に一列に配置した。同じく第二部材５にも、この第一部材３の各突起２に係合する凹部４と、第一部材３の各凹部４に係合する突起２を、それぞれ交互に板材に複数配置した。その他の構造は、実施例１と同様に、印刷物Ｐを折り曲げて２枚を重ねた部分を、第一部材３と第二部材５との間に挟み、器具本体７のレール６で第一部材３を可動し、各突起２と凹部４の噛合により、その２枚の紙片が重なった状態の凹みＤＥ、孔Ｈを複数形成して仮綴じするように構成した。
【００３３】
この実施例４の印刷物仮綴じ器具１でも、実施例１のものと同様に、帳票等の印刷物Ｐの一部の情報５３を隠ぺいするように仮綴じすることができる。この実施例４でも突起２、凹部４は一列に限定されず、２列又はそれ以上の列で配置することは可能である。
【００３４】
なお、本発明は、ハンディターミナルＨＴ、ハンディプリンタＨＰと共に携帯できる簡単な構造にすることで、検針員にとっては検針現場で印刷した帳票等の印刷物Ｐを折り曲げ、その一部の情報５３を隠ぺいすることができ、需要家にとってはその印刷物Ｐを読み取る際に容易に剥がせることができれば、上述した発明の実施の形態に限定されず、本発明の要旨を逸脱しない範囲で種々変更できることは勿論である。
【産業上の利用可能性】
【００３５】
本発明の帳票等の印刷物仮綴じ器具は、電力メータの検針に限定されず、ガスメータの検針又は水道メータの検針の際にその帳票の仮綴じに利用することができる。
更に、帳票に限定されず、印刷面の一部を隠ぺいする必要がある印刷物であれば、本発明の利用することができる。
【図面の簡単な説明】
【００３６】
【図１】実施例１の帳票等の印刷物仮綴じ器具を示す側面図である。
【図２】実施例１の印刷物仮綴じ器具を示す正面図である。
【図３】実施例１の印刷物仮綴じ器具を示す平面図である。
【図４】本発明の印刷物仮綴じ器具で仮綴じされる帳票の正面図であり、（ａ）は綴じる前の状態、（ｂ）は綴じた後の状態である。
【図５】印刷物を仮綴じする方法を説明する拡大側面図であり、（ａ）は綴じる前の状態、（ｂ）は綴じた後の状態である。
【図６】突起と凹部の位置関係を示す拡大図である。
【図７】綴じた後の印刷物の状態を示す拡大断面図である。
【図８】綴じた後の印刷物の他の状態を示す拡大断面図である。
【図９】突起の変形例を示す斜視図であり、（ａ）は切頭円錐形状、（ｂ）は切頭角錐形状、（ｃ）は複雑な錐形状に形成したものである。
【図１０】実施例２の印刷物仮綴じ器具を示す拡大側面図であり、（ａ）は綴じる前の状態、（ｂ）は綴じた後の状態である。
【図１１】実施例３のカッタを取り付けた印刷物仮綴じ器具を示す拡大側面図である。
【図１２】実施例３の印刷物仮綴じ器具を示す正面図である。
【図１３】複数の突起と凹部を交互に一列に配置した実施例４の印刷物仮綴じ器具の部分拡大正面図である。
【図１４】ハンディターミナルとハンディプリンタを示す斜視図である。
【図１５】印刷物の一例である帳票「電気ご使用量のおしらせ」を示す正面図である。
【符号の説明】
【００３７】
１  印刷物仮綴じ器具
２  突起
３  第一部材
４  凹部
５  第二部材
６  レール
７  器具本体
１０  枠材
１１  引張部材
２１  位置決め用鉤部
３１  カッタ
５１  帳票
５２  需要家の氏名、名称等の情報部分
５３  電気使用量・請求予定額・前月の領収金額・契約番号・契約種別等の情報部分
５４  余白部分
ＨＴ  ハンディターミナル
ＨＰ  とハンディプリンタ
Ｐ  印刷物（帳票）
ＰＥ  印刷物の端縁
ＤＥ  紙片の凹み
Ｈ  紙片の孔
【図１】
2010143107.tif 000003
【図２】
2010143107.tif 000004
【図３】
2010143107.tif 000005
【図４】
2010143107.tif 000006
【図５】
2010143107.tif 000007
【図６】
2010143107.tif 000008
【図７】
2010143107.tif 000009
【図８】
2010143107.tif 000010
【図９】
2010143107.tif 000011
【図１０】
2010143107.tif 000012
【図１１】
2010143107.tif 000013
【図１２】
2010143107.tif 000014
【図１３】
2010143107.tif 000015
【図１４】
2010143107.tif 000016
【図１５】
2010143107.tif 000017